(57)【要約】      （修正有）【課題】高齢者等の肢体不自由な人々の多くは体は不自由であるが、排尿排便を自ら自由に安全に行いたいと願っている。その際の最初の妨げとなるのがパンツの着脱である。この妨げを取り除けば排尿排便が素早く出来る可能性が生じる。このパンツの着脱を略するものを提供する。【課題解決】パンツの着脱を略するための手段として、いっそのこと、臀部部分だけを開けたままにして着用し、便器で用を足した後、フラットタイプおむつを敷いた車椅子又は「ウオッシュレットポータブルトイレ付きリクライニング車椅子」の上にそのまま着座していれば目立たないのではないかと考えた。そこで、臀部が開いていることが目立たぬよう裁製された股開きリハビリスラックスを考案した。これは、必要に応じて、前身頃も開くことが出来る。それらの開いた部分を閉めて通常のスラックスとして着用することも出来る。【選択図】図２
0003104733.tif 000002
【実用新案登録請求の範囲】
【請求項１】
スラックス後部の右臀部、左臀部をそれぞれ倍の広さで構成し、ウエスト部分を広幅ゴム（０、０３ｍ）を入れたベルトで開閉自由な部分として裁製し、右臀部は左脇、左臀部は右脇で結び、臀部部分を重ね合わせて着用する。平常はこの形で臀部は閉じられていて普通のスラックスである。中心の前身頃から後身頃０、０５ｍにかけては両開きファスナーを取り付け、前面は男性用としての機能美を兼ね備えている。普通のスラックスとして排尿排便をする時はウエストがゴム入りなのでこのまま普通に上げ下ろしが出来る。
【請求項２】
上記、右臀部、左臀部をウエスト部分でギャザーを入れるように脇に寄せることによってスラックス後部が開き、体の臀部が露出し便座に座り、用を足せる。用を足した後、脇に寄せたところを元に戻して平常のスラックスとしても良し、元に戻さず、車椅子の上に置いた、フラットタイプおむつの上、又は「ウオッシュレットポータブルトイレ付きリクライニング車椅子」の上に座れば次の用を足す時にそのまま出来る。その際は体の臀部は露出したままであるが、外観は平常のスラックスに見える。
【請求項３】
それでも、もし間違えて用足しに間に合わなかった場合、尿漏れ便漏れも起こり得る。そういう場合のために最低限吸着できるよう内側に尿取りパットかフラットタイプおむつを接着出来るように効果的な場所数か所に綿テープを装置してある。このスラックスを履く前にその箇所にしつけ糸か布ガムテープ又はホチキスで尿取りパットかフラットタイプおむつを接着しておくと予防的効果がある。また、足首部分の紐を縛ることによって下まで流れた場合に外まで出ないよう食い止めることが出来る。この紐は保温にも役立つ。以上の使い方で使用者は直接おむつ当ての煩わしさを避けることが出来る。
【考案の詳細な説明】
【技術分野】
【０００１】  本考案は、高齢者等の肢体不自由な人々が容易にパンツが上げ下げ出来ないことに着目し、臀部部分を開けたままにして着用し、便器で用を足した後、車椅子等にそのまま着座しても目立たぬよう裁製した股開きリハビリスラックスである。これは、その臀部部分を閉めて通常のパンツとして着用することも可能な、介護福祉用衣服である。
【背景技術】
【０００２】  高齢者等の肢体不自由な人々に於いては、排尿排便の際、容易にパンツが上げ下げ出来ない場合が多く、日常の最大の懸案事項である。この面で、少しでも自助自立出来る衣服を着用することは本人及び介護者において、正常に近い生活をおくり心身を健全化するという意味で重要なことである。【０００３】  従来、排尿排便が容易でない場合は安易におむつに移行しがちであった。これは健康的、衛生的にも不合理であり、当事者の尊厳を傷つけ痴呆に結び付き易い。また、介護者に於いても日常を艱難辛苦に落としめ易い。パンツ着脱の手間を省けば容易に排尿排便を試みる高齢者等は多いと思われる。【０００４】  本考案の股開きリハビリスラックスは前方から見るに限っては通常のスラックスと変わりが無く、後方と側面は車椅子の背もたれ等で隠蔽され易い。車椅子座部にフラットタイプおむつを敷くか、専用の「ウオッシュレットポータブルトイレ付きリクライニング車椅子」に座るかによって、外観は体の臀部が出ていることが目立たず、素早い排尿排便が可能となる。
【考案の開示】
【考案が解決しようとする課題】
【０００５】  高齢者等の肢体不自由な人々の多くは体は不自由であるが、排尿排便を自ら自由に安全に行いたいと願っている。その際の最初の妨げとなるのがパンツの着脱である。この妨げを取り除けば、自ら排尿排便を行える可能性が生じる。このパンツの着脱を略するものを提供したい。
【課題を解決するための手段】
【０００６】  パンツの着脱を略するための手段として、臀部部分を開けたままにして着用し、便器で用を足した後、車椅子等にそのまま着座しても目立たぬよう裁製された股開きリハビリスラックスを考案した。これは、その臀部部分を閉めて通常のスラックスとして着用することも可能である。身体症状の軽重に応じて利用用途も広げられる。
【考案の効果】
【０００７】  股開きリハビリスラックス着用中に後ろ臀部が開いている場合、緊急の排尿排便時、素早く用が足せる。また、そのまま車椅子に座れば前面は普通のスラックスであるため外観は平常を保つ。【０００８】  高齢者等は、身体症状によっては失禁失尿を起こし兼ねない。その場合でも最低限尿漏れを防ぐために予めリハビリスラックスの内面に尿取りパット等を接着し易いよう装置されてある。【０００９】  新たな習慣になれ着用法を理解するには高齢者は困難である場合が多い。そのため難解な装置や重量感も排除されなければならない。本考案は平常時の着用も何ら妨げとならず軽便で機能的で単なるパジャマズボンとしての効用も期待される。
【考案を実施するための最良の形態】
【００１０】  平常時の着用の状態は普通のスラックスであり機能美を備えている。しかし、排尿排便時には臀部及び必要に応じて前部も部分的に開くことが出来る。また、尿取りパットや紙おむつを装着して失禁失尿に備えることが出来る。
【実施例】
【００１１】  スラックス後部の右臀部、左臀部をそれぞれ倍の広さとして構成し、ウエスト部分を広幅ゴム（０、０３ｍ）を入れたベルトで開閉自由な部分として裁製し、右臀部は左脇、左臀部は右脇で結び、臀部部分を重ね合わせて着用する。平常はこの形で臀部は閉じられている。中心の前身頃から後身頃０、０５ｍにかけては両開きファスナーを取り付け、前面は男性用としての機能美を兼ね備えている。普通のスラックスとして排尿排便をする時はウエストがゴム入りなのでこのまま上げ下ろしも自由である。（図１）【００１２】  上記、右臀部、左臀部をウエスト部分でギャザーを入れるように脇に寄せることによってスラックス後部が開き、体の臀部が露出し便座に座り、用を足せる。用を足した後、元に戻して平常としても良し、元に戻さず、車椅子の上に置いたフラットタイプおむつの上、又は「ウオッシュレットポータブルトイレ付きリクライニング車椅子」の上に座れば次の用を足す時にそのまま出来る。その際は体の臀部は露出したままであるが、外観は平常に見える。（図２）【００１３】  それでも、もし間違えて用足しに間に合わなかった場合、尿漏れ便漏れも起こり得る。そういう場合のために最低限吸着できるよう内側に尿取りパットかフラットタイプおむつを接着出来るように効果的な場所数か所に綿テープを装置してある。このスラックスを履く前にその箇所にしつけ糸か布ガムテープ又はホチキスで尿取りパットかフラットタイプおむつを接着しておくと予防的効果がある。また、足首部分の紐を縛ることによって下まで流れた場合に外まで出ないよう食い止めることが出来る。この紐は保温にも役立つ。これらで使用者は直接おむつ当ての煩わしさを避けることが出来、夜間に於いても当面大丈夫である。（図３
【産業上の利用可能性】
【００１４】  世の中は老齢人口が増え続け、自助努力の必要性はますます高まる。人生最後を迎えるまで、最低、自分の体のことは自分で処理したいと願わない者は居ない。痴呆や寝たきり老人を誘発する大きな要因はおむつの装着であると言われている。おむつを装着されることによって老人は人生を落胆し、諦め、痴呆に陥り、寝たきりとなり易い。これは当事者及びその回りの人々のみならず社会全体の損失である。多くの老人がおむつを避け、自分の排泄に関わる事を他を煩わせず過ごせるように習慣ずけて行くために、この股開きリハビリスラックス着用の方法を身に付けておくことは有用な事である。簡単なことでも、痴呆に陥ってからでは使用法は理解出来ない。少しでも意欲のあるうちに本考案を試着して使用法に慣れておくことは人間の最終的自立への望みである。
【図面の簡単な説明】
【００１５】
【図１】  股開きリハビリスラックスの後ろ身頃である。普通の後ろ身頃の倍の広さの左右の臀部を重ね合わせることによって体の臀部は平常は露出しない。股下は０、０５ｍ前身頃からのファスナーによって開口部が閉められ尿漏れ又は通風が妨げられる。これは、ひとつの隠れたポイントである。ウエスト部は０、０３ｍのゴムが通り、それぞれ共布の紐で結ぶ。ボタンや鍵ホックにしないことが軽便さと確実性のために有効である。足首は内側から紐が通り締められるようになっている。
【図２】  図１の後ウエストの布を左右に寄せて体の臀部が見えるようにしたところである。ゴムは図１そのままの位置である。これで用が足せる。
【図３】  後ろ身頃の脇紐を解いた内側である。尿取りパット又はフラットタイプおむつを装着するための布テープを８箇所設置してある。ここへ、しつけ糸又は布ガムテープ又はホチキスで尿取りパット等を取り付けて尿漏れ等を防止出来る。
【符号の説明】
【００１６】  １        布テープ（前、尿取りパット又はフラットタイプおむつ取り付け用）
２        布テープ（前、尿取りパット又はフラットタイプおむつ取り付け補強用）
３        布テープ（前、尿取りパット又はフラットタイプおむつ取り付け補強用）
４        布テープ（前、尿取りパット又はフラットタイプおむつ取り付け補強用）
５        布テープ（前、尿取りパット又はフラットタイプおむつ取り付け補強用）
６        布テープ（後、尿取りパット又はフラットタイプおむつ取り付け用）
７        布テープ（後、尿取りパット又はフラットタイプおむつ取り付け補強用）
８        布テープ（後、尿取りパット又はフラットタイプおむつ取り付け補強用）
Ａ・Ｂ    後、左身頃を結ぶ紐
Ｃ・Ｄ    後、右身頃を結ぶ紐
Ｅ・Ｆ    足首締め紐
【図１】
0003104733.tif 000003
【図２】
0003104733.tif 000004
【図３】
0003104733.tif 000005
【手続補正書】
【提出日】平成15年11月4日(2003.11.4)
【手続補正１】
【補正対象書類名】実用新案登録請求の範囲
【補正対象項目名】全文
【補正方法】変更
【補正の内容】
【実用新案登録請求の範囲】
【請求項１】
スラックス臀部を幅広に裁ち、縫い合わせず開けっ放しにしてサロン前掛けのようにしてはける股開きリハビリスラックス。
【請求項２】
急な便意や尿意に対応出来るよう臀部を開けたまま着用でき、車椅子に座っていれば、前から見た目には普通のスラックス。
【請求項３】
内側に、尿取りパットやフラットタイプおむつを接着できるように、パットやおむつのサイズに合った箇所に綿テープが装置してあり、臀部を閉じてはけば普通のスラックスと同じに使用できる股開きリハビリスラックス。
【手続補正書】
【提出日】平成16年4月11日(2004.4.11)
【手続補正１】
【補正対象書類名】実用新案登録請求の範囲
【補正対象項目名】請求項２
【補正方法】変更
【補正の内容】
【請求項２】
・スラックスの後ろの中心が縫い付けてなくて、後ろ右みごろ、後ろ左みごろが離れている。
・その、後ろ右みごろ、後ろ左みごろ共、幅広に裁たれていて普通に着用時は幅広部分が重ね合わさり体は露出しない。
・みごろの上部のウエスト部分は紐が通り、後ろ右みごろ、後ろ左みごろ共、紐を芯として両脇に寄せることが出来、後ろ中心を開ければ臀部が露出して排尿排便が素早くできる。
・スラックスの前みごろの中心は縫い付けてあり前から見れば普通のスラックス。
・スラックスの前みごろの中心にチャックをつければ開閉自由な男女共用スラックス。
【手続補正書】
【提出日】平成16年6月15日(2004.6.15)
【手続補正１】
【補正対象書類名】実用新案登録請求の範囲
【補正対象項目名】請求項２
【補正方法】変更
【補正の内容】
【請求項２】
股開きリハビリスラックスに於いて
（１）後ろ身頃の中心が縫い付けて無くて開いている。
（２）後ろ身頃の布幅は普通より１．５倍の広さである。
（３）便意、尿意の時はカーテンを両側に開くように開ける。
（４）前身頃は中心が縫い付けてある。
（５）前身頃は中心をファスナーにすることも可能である。
以上の構成による股開きリハビリスラックス。